(57)【要約】      （修正有）【課題】施工性及び安全性を向上させることができる浴室空調装置及びその取付方法を提供することを目的とする。【解決手段】天井に設けられた竜骨に取り付けられた複数のパネル４０によって形成される開口に配置される浴室空調装置であって、本体ケーシング１０と、前記本体ケーシング１０の下方に取り付けられるグリル２０と、前記天井に設けられ前記本体ケーシング１０を支持する固定金具３０と、前記本体ケーシング１０を前記固定金具３０に固定する固定部材と、を備え、前記固定金具３０には、前記固定部材が前記本体ケーシング１０を固定していない仮固定状態において前記本体ケーシング１０を支持する仮固定機構の少なくとも一部が設けられ、前記仮固定状態において、前記グリル２０と開口の縁４４Ｅとの間に隙間Ｇ１が形成されることを特徴とする浴室空調装置が提供される。【選択図】図１０
2018119769.tif 000002
【特許請求の範囲】
【請求項１】
天井に設けられた竜骨に取り付けられた複数のパネルによって形成される開口に配置される浴室空調装置であって、
本体ケーシングと、
前記本体ケーシングの下方に取り付けられるグリルと、
前記天井に設けられ前記本体ケーシングを支持する固定金具と、
前記本体ケーシングを前記固定金具に固定する固定部材と、
を備え、
前記固定金具には、前記固定部材が前記本体ケーシングを固定していない仮固定状態において前記本体ケーシングを支持する仮固定機構の少なくとも一部が設けられ、
前記仮固定状態において、前記グリルと前記開口の縁との間に隙間が形成されることを特徴とする浴室空調装置。
【請求項２】
前記仮固定状態において、前記本体ケーシングは水平方向に対して傾いていることを特徴とする請求項１記載の浴室空調装置。
【請求項３】
前記仮固定機構は、２点で前記本体ケーシングを支持することを特徴とする請求項２記載の浴室空調装置。
【請求項４】
前記本体ケーシングの下面は、略矩形状であり、
前記本体ケーシングは、前記仮固定状態において前記本体ケーシングの一辺側に傾くことを特徴とする請求項２記載の浴室空調装置。
【請求項５】
前記仮固定機構は、前記本体ケーシングが落下することを防止する落下防止機構を兼ねることを特徴とする請求項１〜４のいずれか１つに記載の浴室空調装置。
【請求項６】
前記仮固定機構の前記本体ケーシング側の部分と、前記仮固定機構の前記固定金具側の部分と、の少なくとも一方は樹脂で形成されていることを特徴とする請求項５記載の浴室空調装置。
【請求項７】
前記固定金具は、前記天井に固定された吊りボルトに固定されることを特徴とする請求項６記載の浴室空調装置。
【請求項８】
前記仮固定状態において前記本体ケーシングが傾くと、前記仮固定機構以外の前記本体ケーシングの一部は、前記固定金具に当接することを特徴とする請求項５記載の浴室空調装置。
【請求項９】
本体ケーシングと、
前記本体ケーシングの下方に取り付けられるグリルと、
天井に設けられ、前記本体ケーシングを支持する固定金具と、
前記本体ケーシングを前記固定金具に固定する固定部材と、
を有する浴室空調装置の取付方法であって、
前記本体ケーシングを前記固定金具に仮固定する工程と、
前記固定部材により前記本体ケーシングを前記固定金具に固定する工程と、
を備え、
前記天井には、複数のパネルが取り付けられる竜骨が設けられ、
前記本体ケーシングは、前記複数のパネルによって形成される開口に配置され、
前記本体ケーシングが前記固定金具に仮固定された状態において、前記グリルと、前記開口の縁と、の間に隙間が形成されることを特徴とする浴室空調装置の取付方法。
【発明の詳細な説明】
【技術分野】
【０００１】
本発明の態様は、一般的に、浴室空調装置及びその取付方法に関する。
【背景技術】
【０００２】
従来、複数のパネルが取り付けられる竜骨が設けられた浴室の天井、及び、このような天井に設けられる浴室空調装置が知られている。  
また、浴室空調装置の空調機能を内蔵する本体ケーシングを天井に取り付ける際に、本体ケーシングが落下しないよう本体ケーシングを固定金具等で仮固定する機構が知られている。
【先行技術文献】
【特許文献】
【０００３】
【特許文献１】特開２０１０−１５９９０６号公報
【特許文献２】特開２０１３−１５５９１８号公報
【特許文献３】特開２００２−１３０７９７号公報
【発明の概要】
【発明が解決しようとする課題】
【０００４】
本体ケーシングが仮固定された状態と、本体ケーシングが本固定された状態と、を施工者が区別することができないと、本体ケーシングが本固定されていない仮固定の状態で、施工者が作業を終えてしまう恐れがある。例えば、本体ケーシングを仮固定する仮固定機構に本体ケーシングの荷重がかかったままとなると、仮固定機構が壊れて本体ケーシングが落下してしまう恐れがある。
【０００５】
本発明は、かかる課題の認識に基づいてなされたものであり、施工性及び安全性を向上させることができる浴室空調装置及びその取付方法を提供することを目的とする。
【課題を解決するための手段】
【０００６】
第１の発明は、天井に設けられた竜骨に取り付けられた複数のパネルによって形成される開口に配置される浴室空調装置であって、本体ケーシングと、前記本体ケーシングの下方に取り付けられるグリルと、前記天井に設けられ前記本体ケーシングを支持する固定金具と、前記本体ケーシングを前記固定金具に固定する固定部材と、を備え、前記固定金具には、前記固定部材が前記本体ケーシングを固定していない仮固定状態において前記本体ケーシングを支持する仮固定機構の少なくとも一部が設けられ、前記仮固定状態において、前記グリルと前記開口の縁との間に隙間が形成されることを特徴とする浴室空調装置である。
【０００７】
この浴室空調装置によれば、仮固定状態において、パネルによって形成される開口の縁とグリルとの間に隙間によって、施工者は浴室空調装置が仮固定の状態か否かを視認することができる。これにより、施工者が施工完了せずに作業を終えてしまうことを抑制でき、浴室空調装置の施工性及び安全性を向上させることができる。
【０００８】
第２の発明は、第１の発明において、前記仮固定状態において、前記本体ケーシングは水平方向に対して傾いていることを特徴とする浴室空調装置である。
【０００９】
この浴室空調装置によれば、本体ケーシングが一方側に傾いているので、施工者は、本体ケーシングが仮固定状態であることを容易に視認することができる。
【００１０】
第３の発明は、第２の発明において、前記仮固定機構は、２点で前記本体ケーシングを支持することを特徴とする浴室空調装置である。
【００１１】
この浴室空調装置によれば、２点支持のため、本体ケーシングに外力が加えられると、本体ケーシングが大きくぐらつく。そのため、例えばグリルを本体ケーシングに取り付ける際などに、本体ケーシングが大きくぐらつくため、施工者が本体ケーシングの取付が完了していないことに気が付きやすい。
【００１２】
第４の発明は、第２の発明において、前記本体ケーシングの下面は、略矩形状であり、前記本体ケーシングは、前記仮固定状態において前記本体ケーシングの一辺側に傾くことを特徴とする浴室空調装置である。
【００１３】
この浴室空調装置によれば、固定部材を取り付ける際に、施工者は本体ケーシングのうち一辺側を持ち上げるだけでよいので、施工が容易になる。
【００１４】
第５の発明は、第１〜第４のいずれか１つの発明において、前記仮固定機構は、前記本体ケーシングが落下することを防止する落下防止機構を兼ねることを特徴とする浴室空調装置である。
【００１５】
この浴室空調装置によれば、仮固定機構が本体ケーシングの落下防止機構を兼ねるため、例えば固定部材が壊れたときに、本体ケーシングが仮固定状態となる。そのため、施工者又は使用者等は、固定部材が壊れたことを容易に視認することができる。また、落下防止機構を別途設ける必要がなく、製造コストを低減することができる。
【００１６】
第６の発明は、第５の発明において、前記仮固定機構の前記本体ケーシング側の部分と、前記仮固定機構の前記固定金具側の部分と、の少なくとも一方は樹脂で形成されていることを特徴とする浴室空調装置である。
【００１７】
この浴室空調装置によれば、樹脂を用いることにより製造コストを低減することができる。ここで、樹脂で形成されている部分に静荷重が掛かり続けると、クリープ破壊が生じる懸念がある。一方で、この浴室空調装置によれば、施工者は、仮固定機構に本体ケーシングの荷重が掛かっている状態が否かを視認できるため、コストを低減しつつ、クリープ破壊の発生を抑えることができる。
【００１８】
第７の発明は、第６の発明において、前記固定金具は、前記天井に固定された吊りボルトに固定されることを特徴とする浴室空調装置である。
【００１９】
この浴室空調装置によれば、固定金具は吊りボルトに固定されているため、本体ケーシングの荷重は吊りボルトに掛かる。そのため、竜骨で本体ケーシングを支持する場合に比べて安全性を高めることができる。
【００２０】
第８の発明は、第５の発明において、前記仮固定状態において前記本体ケーシングが傾くと、前記仮固定機構以外の前記本体ケーシングの一部は、前記固定金具に当接することを特徴とする浴室空調装置である。
【００２１】
この浴室空調装置によれば、本体ケーシングの一部が固定金具に当接するため、本体ケーシングが必要以上に傾いてしまうことを抑制できる。そのため、仮固定状態においても、安全性を保ちつつ、施工者に施工が完了していないことを知らせることができる。
【００２２】
第９の発明は、本体ケーシングと、前記本体ケーシングの下方に取り付けられるグリルと、天井に設けられ、前記本体ケーシングを支持する固定金具と、前記本体ケーシングを前記固定金具に固定する固定部材と、を有する浴室空調装置の取付方法であって、前記本体ケーシングを前記固定金具に仮固定する工程と、前記固定部材により前記本体ケーシングを前記固定金具に固定する工程と、を備え、前記天井には、複数のパネルが取り付けられる竜骨が設けられ、前記本体ケーシングは、前記複数のパネルによって形成される開口に配置され、前記本体ケーシングが前記固定金具に仮固定された状態において、前記グリルと、前記開口の縁と、の間に隙間が形成されることを特徴とする浴室空調装置の取付方法である。
【００２３】
この浴室空調装置の取付方法によれば、仮固定状態において、パネルによって形成される開口の縁とグリルとの間に隙間によって、施工者は浴室空調装置が仮固定の状態か否かを視認することができる。これにより、施工者が施工完了せずに作業を終えてしまうことを抑制でき、浴室空調装置の施工性及び安全性を向上させることができる。
【発明の効果】
【００２４】
本発明の態様によれば、施工性及び安全性を向上させることができる浴室空調装置及びその取付方法が提供される。
【図面の簡単な説明】
【００２５】
【図１】実施形態に係る浴室空調装置を例示する斜視図である。
【図２】実施形態に係る浴室空調装置を例示する平面図である。
【図３】竜骨及びパネルを例示する断面図である。
【図４】実施形態に係る浴室空調装置を例示する断面図である。
【図５】実施形態に係る浴室空調装置のグリルを例示する斜視図である。
【図６】実施形態に係る浴室空調装置の本体ケーシングを例示する斜視図である。
【図７】実施形態に係る浴室空調装置の一部を例示する斜視図である。
【図８】実施形態に係る浴室空調装置を例示する斜視図である。
【図９】実施形態に係る浴室空調装置の一部を例示する斜視図である。
【図１０】図１０（ａ）及び図１０（ｂ）は、実施形態に係る浴室乾燥装置を例示する斜視図及び側面図である。
【図１１】実施形態に係る浴室空調装置を例示する斜視図である。
【図１２】図１２（ａ）及び図１２（ｂ）は、実施形態に係る浴室空調装置を例示する斜視図及び平面図である。
【図１３】図１３（ａ）及び図１３（ｂ）は、実施形態に係る浴室乾燥装置を例示する斜視図及び側面図である。
【発明を実施するための形態】
【００２６】
以下、本発明の実施の形態について図面を参照しつつ説明する。なお、各図面中、同様の構成要素には同一の符号を付して詳細な説明は適宜省略する。  
図１は、実施形態に係る浴室空調装置を例示する斜視図である。  
図２は、実施形態に係る浴室空調装置を例示する平面図である。  
図２は、図１に示す浴室空調装置を上方から見た状態に対応する。  
図１及び図２に示すように実施形態に係る浴室空調装置１００は、空調機能を内蔵する本体ケーシング１０と、本体ケーシング１０の下方に取り付けられるグリル２０と、固定金具３０と、固定部材３５（図２参照）と、を有する。実施形態に係る浴室空調装置１００は、固定金具３０等によって浴室ＢＲの天井Ｆ１に設置される。
【００２７】
浴室の天井Ｆ１には、竜骨４５が設けられる。竜骨４５は、略水平な方向ＤＬに延びるフレーム（骨組みとなる部材）である。この例では、２本の竜骨４５が略平行に設けられている。竜骨４５は、例えば、ボルトなどによって建物（スラブ等）に対して固定される。竜骨４５には、複数のパネル４０が取り付けられる。
【００２８】
なお、本願明細書の説明において、グリル２０から本体ケーシング１０へ向かう方向を「上方」とし、「上方」と反対の方向を「下方」としている。「上方」は、浴室空調装置１００が設置された浴室ＢＲの内部から、当該浴室ＢＲの天井Ｆ１に設置された浴室空調装置１００へ向かう方向に対応する。
【００２９】
図３は、竜骨及びパネルを例示する断面図である。  
この断面は、図１に示すＳ１−Ｓ１線に対応する。  
パネル４０は、略矩形の板状部４１と、板状部４１の４辺から上方に屈曲した屈曲部４２と、を有する。パネル４０の大きさは、例えば３００ミリメートル（ｍｍ）四方である。図３に示すように、竜骨４５は、屈曲部４２を挟む。これにより、パネル４０は、竜骨４５に対して着脱可能である。パネル４０は、下面４０Ｌが略水平になるように取り付けられる。複数のパネル４０（複数の下面４０Ｌ）は、略水平な１つの面上に配置される。
【００３０】
図２に一点鎖線で示すように、複数のパネル４０によって開口４４が形成される。開口４４は、竜骨４５に取り付けられたパネル４０に囲まれた領域である。言い換えれば、開口４４は、竜骨４５にパネル４０が取り付けられていない領域に対応する。図２の例では、開口４４は、パネル４０の２枚分の大きさを有する。浴室空調装置１００（本体ケーシング１０及びグリル２０）は、この開口４４に嵌め込まれるように配置される。
【００３１】
図４は、実施形態に係る浴室空調装置を例示する断面図である。  
図５は、実施形態に係る浴室空調装置のグリルを例示する斜視図である。この斜視図は、図４においてグリル２０を上方から見た状態に対応する。  
【００３２】
図６は、実施形態に係る浴室空調装置の本体ケーシングを例示する斜視図である。この斜視図は、図４において本体ケーシング１０を下方から見た状態に対応する。
【００３３】
図４に示すように、浴室空調装置１００は、ファン１１、ダンパ１２及びヒータ１３等をさらに有する。ファン１１、ダンパ１２及びヒータ１３は、本体ケーシング１０の内部に設けられる。
【００３４】
図５に示すように、グリル２０は、略矩形の板状であり、図２に関して説明した開口４４に対応した平面形状を有する。グリル２０の大きさは、開口４４の大きさと略同じである。また、グリル２０には、吸気口２１及び吹出口２２が設けられる。
【００３５】
図６に示すように、本体ケーシング１０の下部１０ｂ（下面）は、略矩形状であり、４辺（辺Ｅ１〜Ｅ４）を有する。本体ケーシング１０及びグリル２０が天井に設置された状態において、辺Ｅ１及び辺Ｅ２のそれぞれは、竜骨４５が延びる方向ＤＬと交差する方向ＤＳに沿って延在し、辺Ｅ３及び辺Ｅ４のそれぞれは、方向ＤＬに沿って延在する。例えば、辺Ｅ１及び辺Ｅ２は短辺であり、辺Ｅ３及び辺Ｅ４は長辺である。なお、方向ＤＳは、例えば、一方の竜骨４５から他方の竜骨４５へ向かう水平方向であり、竜骨４５が延びる方向ＤＬに対して垂直である。
【００３６】
また、下部１０ｂには、これら４辺に囲まれた開口が形成されている。本体ケーシング１０は、ファン１１、ダンパ１２及びヒータ１３等の上方や側方を囲み、グリル２０は、本体ケーシング１０の下方を覆うように取り付けられる。また、本体ケーシング１０は、換気口１４を有する。
【００３７】
ファン１１が回転することにより、浴室内の空気は、吸気口２１から本体ケーシング１０の内部に吸い込まれ、ダンパ１２へ送られる。ダンパ１２が回動することにより、ファン１１から送られた空気の経路が変更される。ダンパ１２は、ファン１１から送られた空気を、吹出口２２、換気口１４、または、吹出口２２及び換気口１４の両方に送ることができる。
【００３８】
換気口１４へ送られた空気は、換気口１４に接続されたダクトを介して、浴室ＢＲの外へ排出される。  
吹出口２２へ送られた空気は、ヒータ１３を通過し、吹出口２２から浴室ＢＲ内へ吹き出される。ヒータ１３は、通電によりヒータ１３を通る空気を温めることができる。
【００３９】
再び、図１及び図２を参照して説明を続ける。  
固定金具３０は、浴室の天井Ｆ１に設けられる。具体的には、図１に示すように浴室の天井Ｆ１には、建物（スラブ等）に固定された吊りボルト７０が設けられる。固定金具３０は、ナット等で吊りボルト７０に取り付けられることで、天井Ｆ１において間接的に固定される。
【００４０】
固定金具３０は、方向ＤＳに延びる。固定金具３０は、その両端において、吊りボルト７０により支持される。また、２つの固定金具３０が、本体ケーシング１０の短辺側に設けられる。すなわち、辺Ｅ１を形成する本体ケーシング１０の縁部、及び、辺Ｅ２を形成する本体ケーシング１０の縁部、のそれぞれに、固定金具３０が固定される。
【００４１】
図７は、実施形態に係る浴室空調装置の一部を例示する斜視図である。図７は、図１に示す領域Ｒ１を拡大して表す。  
図７に示すように、固定部材３５は、本体ケーシング１０を固定金具３０に固定する。これにより、固定金具３０は、天井Ｆ１における所定の位置に本体ケーシング１０を支持する。固定部材３５は、例えば、ネジやボルトである。１つの固定金具３０は、例えば２つのネジ（固定部材３５）によって本体ケーシング１０に固定される。
【００４２】
また、固定金具３０には、仮固定機構６０の少なくとも一部が設けられる。仮固定機構６０は、固定部材３５が本体ケーシング１０を固定していない状態（仮固定状態）において、本体ケーシング１０を支持する。
【００４３】
具体的には、浴室空調装置１００は、仮固定機構６０として、仮固定部６１及び被仮固定部６２を有する。仮固定部６１は、固定金具３０に設けられ、上方に屈曲した鉤状である。被仮固定部６２は、本体ケーシング１０の下部１０ｂから上方に突出した環状のフックである。被仮固定部６２は、水平方向に延びる上部６２Ｕを有する。仮固定状態においては、仮固定部６１と被仮固定部６２とが係合する。
【００４４】
また、図２に示すように、この例では、複数の仮固定部６１（第１仮固定部６１ａ及び第２仮固定部６１ｂ）及び複数の被仮固定部６２（第１被仮固定部６２ａ及び第２被仮固定部６２ｂ）が設けられる。第１被仮固定部６２ａは、本体ケーシング１０の一方の短辺側に設けられ、仮固定状態において第１仮固定部６１ａと係合する。第２被仮固定部６２ｂは、本体ケーシング１０の他方の短辺側に設けられ、仮固定状態において第２仮固定部６１ｂと係合する。
【００４５】
なお、図１、図２、図４及び図７は、固定部材３５が本体ケーシング１０を固定した状態（固定状態）を例示している。図７に示すように、固定状態においては、被仮固定部６２の上部６２Ｕと、仮固定部６１とは接触しない。
【００４６】
また、図４に示すように、固定状態において、固定金具３０は、グリル２０の下面２０Ｌの高さ（上下方向における位置）とパネル４０の下面４０Ｌの高さと、が揃う位置に、本体ケーシング１０を固定する。固定状態において、下面２０Ｌと下面４０Ｌとは面一である。なお、「面一」という範囲には、下面２０Ｌと下面４０Ｌとの間に生じる段差が例えば５ｍｍ以下の状態を含んでもよい。
【００４７】
図８は、実施形態に係る浴室空調装置を例示する斜視図である。  
図８は、仮固定状態における浴室空調装置１００を表す。  
浴室空調装置１００を浴室ＢＲの天井Ｆ１に設置する際には、まず、本体ケーシング１０を仮固定する。すなわち、吊りボルト７０に固定された固定金具３０の仮固定部６１に、被仮固定部６２を引っ掛ける。これにより、本体ケーシング１０は、仮固定状態となる。
【００４８】
図９は、実施形態に係る浴室空調装置の一部を例示する斜視図である。図９は、図８に示す領域Ｒ２を拡大して表す。  
図９に示すように、仮固定状態においては、本体ケーシング１０は、被仮固定部６２において、固定金具３０の仮固定部６１に支持される。例えば、仮固定部６１は、被仮固定部６２の上部６２Ｕと接触している。例えば、本体ケーシング１０の下部１０ｂは、固定金具３０と接触していない。
【００４９】
図１０（ａ）及び図１０（ｂ）は、実施形態に係る浴室乾燥装置を例示する斜視図及び側面図である。  
図１０（ａ）は、仮固定状態の浴室空調装置１００を下方から見た状態を表す斜視図であり、図１０（ｂ）は、図１０（ａ）に示す浴室空調装置１００を側方から見た側面図である。
【００５０】
図１０（ａ）に示すように、仮固定状態においては、グリル２０の下面２０Ｌは、パネル４０の下面４０Ｌよりも下方に位置する。  
また、図１０（ｂ）に示すように、仮固定状態においては、グリル２０と、開口４４の縁４４Ｅと、の間に隙間Ｇ１が形成される。すなわち、グリル２０の下面２０Ｌの少なくとも一部の高さ（上下方向における位置）は、パネル４０の下面４０Ｌの高さと異なる。
【００５１】
例えば、下面２０Ｌの少なくとも一部と下面４０Ｌとの間の上下方向に沿った距離Ｈ１は、グリル２０の厚さＨ２よりも長い。距離Ｈ１は、例えば１５ｍｍ程度である。
【００５２】
仮固定状態の後に、固定部材３５により本体ケーシング１０を固定金具３０に固定する。これにより、本体ケーシング１０は、仮固定状態よりも上方へ移動する。例えば、グリル２０の下面２０Ｌは、パネル４０の下面４０Ｌと面一となる。その後、吊りボルト７０に取り付けられた固定金具３０の位置の微調整や本固定を行う。以上により、浴室空調装置１００は、所定の位置に設置される。
【００５３】
実施形態によれば、仮固定状態において、パネル４０によって形成される開口４４の縁４４Ｅとグリル２０との間の隙間Ｇ１によって、施工者は浴室空調装置１００が仮固定の状態か否かを視認することができる。これにより、施工者が施工を完了せずに作業を終えてしまうことを抑制できる。したがって、浴室空調装置の施工性及び安全性を向上させることができる。
【００５４】
また、仮固定機構６０は、本体ケーシング１０が落下することを防止する落下防止機構を兼ねる。例えば、固定部材３５が壊れると、本体ケーシング１０の位置が下がる。そして、本体ケーシング１０は、仮固定状態となり、仮固定機構６０により支持されることとなる。これにより、本体ケーシング１０の落下を防止できる。落下防止機構を別途設ける必要がなく、製造コストを低減することができる。また、施工者又は使用者等は、隙間Ｇ１により固定部材３５が壊れたことを容易に視認することができる。
【００５５】
また、仮固定機構６０の本体ケーシング１０側の部分（被仮固定部６２）と、仮固定機構６０の固定金具３０側の部分（仮固定部６１）と、の少なくとも一方は樹脂で形成される。この例では、本体ケーシング１０及び被仮固定部６２は、樹脂により一体として形成されており、固定金具３０及び仮固定部６１は、金属により一体として形成されている。樹脂を用いることにより製造コストを低減することができる。
【００５６】
ここで、樹脂で成形されている部分に静荷重がかかり続けると、クリープ破壊が生じる懸念がある。これに対して、実施形態によれば、施工者は、隙間Ｇ１により本体ケーシング１０が仮固定状態であるか否かを容易に視認できる。すなわち、施工者は、仮固定機構６０に本体ケーシング１０の荷重がかかっている状態か否かを視認できる。これにより、製造コストを低減しつつ、クリープ破壊の発生を抑えることができる。
【００５７】
また、実施形態において、固定金具３０は、竜骨４５ではなく、天井Ｆ１に固定された吊りボルト７０に固定されている。このため、本体ケーシング１０の荷重は吊りボルト７０に掛かる。吊りボルト７０の耐荷重は、竜骨４５の耐荷重よりも高い。これにより、竜骨４５で本体ケーシングを支持する場合に比べて安全性を高めることができる。
【００５８】
図１１は、実施形態に係る浴室空調装置を例示する斜視図である。図１１は、仮固定状態における浴室空調装置１００を表す。  
図１２（ａ）及び図１２（ｂ）は、実施形態に係る浴室空調装置を例示する斜視図及び平面図である。図１２（ａ）は、仮固定状態における浴室空調装置１００を下方から見た状態を表す。図１２（ｂ）は、本体ケーシング１０を上方から見た平面図である。
【００５９】
図１１及び図１２（ａ）に示す例では、浴室空調装置１００の本体ケーシングは、仮固定状態において水平方向に対して傾いている。
【００６０】
例えば、図１２（ｂ）のように水平面に投影したときに、本体ケーシング１０の重心ＰＧは、本体ケーシングの平面形状の中心ＰＣとは異なる。あるいは、仮固定機構６０は、本体ケーシングの中心ＰＣに対して、非対称に設けられる。また、例えば、本体ケーシングの重心は、第１仮固定部６１ａと第２仮固定部６１ｂとを結ぶ直線状Ｌ１上に位置しない。なお、中心ＰＣは、辺Ｅ１〜Ｅ４で形成される矩形の中心である。
【００６１】
これにより、仮固定状態において、本体ケーシング１０は、仮固定機構６０によって水平方向に対して傾く。また、浴室空調装置の下面（グリル２０の下面２０Ｌ）も、仮固定状態において、水平方向に対して傾いており、水平面に略平行なパネル４０の下面４０Ｌに対して非平行である。このように本体ケーシング１０が一方側に傾くことにより、施工者は、本体ケーシングが仮固定状態であることを容易に視認することができる。
【００６２】
この例では、第１仮固定部６１ａと辺Ｅ４との間の距離Ｄ１は、第１仮固定部６１ａと辺Ｅ３との間の距離Ｄ２よりも短い。第２仮固定部６１ｂと辺Ｅ３との間の距離Ｄ３は、第２仮固定部６１ｂと辺Ｅ４との間の距離Ｄ４よりも短い。また、距離Ｄ３は、距離Ｄ１とは異なる。
【００６３】
また、仮固定機構６０は、第１仮固定部６１ａと第２仮固定部６１ｂの２箇所で本体ケーシング１０を支持する。このような２点支持のため、本体ケーシング１０に外力が加えられると、本体ケーシング１０が大きくぐらつく。例えば、グリル２０を本体ケーシング１０に取り付ける際などに、本体ケーシング１０が大きくぐらつくため、施工者は、本体ケーシング１０の取付が完了していないことに気が付きやすい。
【００６４】
また、仮固定状態において本体ケーシング１０が傾くと、仮固定機構６０以外の本体ケーシング１０の一部は、固定金具３０に当接する。例えば、図１１に示すように、本体ケーシング１０の短辺側の側面１０ｓは、固定金具３０に当接している。これにより、本体ケーシング１０が必要以上に傾いてしまうことを抑制できる。そのため、仮固定状態においても、安全性を保ちつつ、施工者に施工が完了していないことを知らせることができる。
【００６５】
図１３（ａ）及び図１３（ｂ）は、実施形態に係る浴室乾燥装置を例示する斜視図及び側面図である。  
図１３（ａ）は、仮固定状態の浴室空調装置１００を下方から見た状態を表す斜視図であり、図１３（ｂ）は、図１３（ａ）に示す浴室空調装置１００を側方から見た側面図である。
【００６６】
図１３（ａ）及び図１３（ｂ）に示す例では、浴室空調装置１００の本体ケーシング１０は、本体ケーシング１０の一辺側に傾く。すなわち、２辺（例えば辺Ｅ１、Ｅ２）は、略水平方向に延在し、高さが互いに異なり、別の２辺（例えば辺Ｅ３、Ｅ４）は水平方向に対して傾く。
【００６７】
図１３（ｂ）に示すように、被仮固定部６２のフックの高さＭは、一定でなくてもよい。例えば、第１被仮固定部６２ａのフックの高さＭ１は、第２被仮固定部６２ｂのフックの高さＭ２よりも低い。なお、高さＭ（高さＭ１、Ｍ２）は、本体ケーシング１０の下部１０ｂから被仮固定部６２の上部６２Ｕまでの距離である（図７を参照）。例えば、一方の被仮固定部６２においては、高さＭが低く、遊びが小さい。
【００６８】
このように、本体ケーシング１０が一辺側に傾いている場合には、施工者は、固定部材３５を取り付ける際に本体ケーシング１０のうち一辺側だけを持ち上げるだけでよいので、施工が容易になる。
【００６９】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、本体ケーシング１０、グリル２０、固定金具３０、固定部材３５、仮固定機構６０などが備える各要素の形状、寸法、材質、配置、設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７０】
１０ 本体ケーシング、  １０ｂ 下部、  １０ｓ 側面、  １１ ファン、  １２ ダンパ、  １３ ヒータ、  １４ 換気口、  ２０ グリル、  ２０Ｌ 下面、  ２１ 吸気口、  ２２ 吹出口、  ３０ 固定金具、  ３５ 固定部材、  ４０ パネル、  ４０Ｌ 下面、  ４１ 板状部、  ４２ 屈曲部、  ４４ 開口、  ４４Ｅ 縁、  ４５ 竜骨、  ６０ 仮固定機構、  ６１ 仮固定部、  ６２ 被仮固定部、  ６２Ｕ 上部、  ７０ 吊りボルト、  １００ 浴室空調装置、  Ｇ１ 隙間
【図１】
2018119769.tif 000003
【図２】
2018119769.tif 000004
【図３】
2018119769.tif 000005
【図４】
2018119769.tif 000006
【図５】
2018119769.tif 000007
【図６】
2018119769.tif 000008
【図７】
2018119769.tif 000009
【図８】
2018119769.tif 000010
【図９】
2018119769.tif 000011
【図１０】
2018119769.tif 000012
【図１１】
2018119769.tif 000013
【図１２】
2018119769.tif 000014
【図１３】
2018119769.tif 000015